(57)【要約】【課題】風が拭いたときに、換気口に侵入する風がある限り、何れの方向から風が吹いても、風下側の換気口を介して空気がハウス内に侵入するとともに風上側の換気口においては減圧作用によってハウス内の空気を排出させる。ビニールハウスにおける屋根裏の上部空間に熱気が滞留することはないため、ビニールハウスの温度調節がしやすいともに屋根裏への水滴の付着を防止して水滴による作物の害を防止することができる。【解決手段】ハウスの屋根部に棟に沿って凹溝を形成し、この凹溝の両側壁部に換気口を設け、この換気口を介して前記ハウスの内部と外気とを連通させたハウス用換気装置である。【選択図】    図１
2004222510.tif 000002
【特許請求の範囲】
【請求項１】
ハウスの屋根部に棟に沿って凹溝を形成し、この凹溝の両側壁部に換気口を設け、この換気口を介して前記ハウスの内部と外気とを連通させたことを特徴とするハウス用換気装置。
【請求項２】
請求項１のハウス用換気装置において、前記凹溝の底部を棟樋にしたことを特徴とするハウス用換気装置。
【請求項３】
請求項２のハウス用換気装置において、前記棟樋を透明体で形成したことを特徴とするハウス用換気装置。
【請求項４】
請求項２のハウス用換気装置において、前記換気口の下端縁にはガイド片が立設され、このガイド片の下端縁は前記棟樋の両端縁に連設されていることを特徴とするハウス用換気装置。
【請求項５】
請求項１のハウス用換気装置において、前記換気口を開閉可能としたことを特徴とするハウス用換気装置。
【請求項６】
請求項１のハウス用換気装置において、前記換気口の近傍に換気扇装置を設置したことを特徴とするハウス用換気装置。
【請求項７】
請求項６のハウス用換気装置において、前記換気扇装置を両側壁部の換気口に設け、且つ、その位置は互いに向き合わない状態に配置したことを特徴とするハウス用換気装置。
【請求項８】
請求項１のハウス用換気装置において、前記凹溝の上部開口端に上部ネット体を張設したことを特徴とするハウス用換気装置。
【請求項９】
請求項１のハウス用換気装置において、前記凹溝の端部開口端に端部ネット体を張設したことを特徴とするハウス用換気装置。
【請求項１０】
請求項９のハウス用換気装置において、前記端部ネット体の両側に隙間を設け、この隙間を介して前記換気口を覆う被覆シートの巻き挙げ部材を突出させたことを特徴とするハウス用換気装置。
【請求項１１】
請求項１のハウス用換気装置において、前記ハウスの屋根部をトラス構造としたことを特徴とするハウス用換気装置。
【発明の詳細な説明】
【０００１】
【産業上の利用分野】
この発明はハウス用換気装置に関し、ビニールハウス等内の換気を行うために使用されるものである。
【０００２】
【従来の技術】
従来におけるこの種の換気装置にあっては、ハウスにおける屋根部の下端部に換気口が設けられ、この換気口に当たる被覆シートを開閉することによって、ハウス内の換気を行っていた。
【０００３】
【発明が解決しようとする課題】
しかしながら、かかる従来におけるハウス用換気装置にあっては、換気口が屋根部の両側の下の部分に設置されていたため、片方の換気口から侵入した風はそのまま水平に流れて他方の換気口から排出される結果、屋根裏の上部空間に熱気が滞留して温度調節がしにくいともに屋根裏に水滴が付着して作物に害を及ぼしやすいという不都合を有した。
【０００４】
この発明の課題はかかる不都合を解消することである。
【０００５】
【課題を解決するための手段】
前記課題を達成するために、この発明に係るハウス用換気装置においては、  ハウスの屋根部に棟に沿って凹溝を形成し、この凹溝の両側壁部に換気口を設け、この換気口を介して前記ハウスの内部と外気とを連通させたため、風が拭いたときに、換気口に侵入する風がある限り、何れの方向から風が吹いても、風下側の換気口を介して空気がハウス内に侵入するとともに風上側の換気口においては減圧作用によってハウス内の空気を排出させ、この結果、ハウス内の換気ができるものである。
【０００６】
なお、前記凹溝の底部を棟樋にすれば、この凹溝に侵入した雨水等が換気口からハウス内へ侵入するのを防止することができる。
【０００７】
また、前記棟樋を透明体で形成すれば、ハウス内に日陰ができるのを防ぎ、作物等の成長を均一化させることができる。
【０００８】
また、前記換気口の下端縁にガイド片を立設し、このガイド片の下端縁を前記棟樋の両端縁に連設させれば、凹溝に侵入した雨水等を効率良く棟樋に誘導することができるため、雨水等が換気口からハウス内へ侵入するのを良り効率良く防止することができる。
【０００９】
また、前記換気口に開閉可能にすれば、この換気口から雨等が降り込むのを防止することができる。
【００１０】
また、前記換気口に換気扇装置を設置すれば、換気口からの空気の出入を増進させることができるとともにハウス内の空気の攪拌効率をより向上させることができる。
【００１１】
更に、前記換気扇装置を両側壁部の換気口に設け、且つ、その位置を互いに向き合わない状態に配置すれば、この換気扇装置を使用した空気の流れがぶつかることなく、一方向に流れるため、空気の換気効率およびハウス内の空気の攪拌効率がより向上する。
【００１２】
また、前記凹溝の上部開口端に上部ネット体を張設すれば、この凹溝の上部開口から虫が凹溝内、ひいては、換気口を介してハウス内へ侵入するのを防止できる。
【００１３】
なお、前記凹溝の端部開口端に端部ネット体を張設すれば、この凹溝の端部開口からの虫の侵入も防止できるため、ハウス内への虫の侵入をより一層確実に防止できる。
【００１４】
また、前記端部ネット体の両側に隙間を設け、この隙間を介して前記換気口を覆う被覆シートの巻き挙げ部材を突出させれば、前記換気口の開閉をハウス外部から従来の操作手段を使用して容易に操作することができる。
【００１５】
また、前記ハウスの屋根部をトラス構造とすれば、間口を広くできるため、柱１１を長くしても（高くしても）棟部が高くならずに換気口Ａを増やすことができ、より換気効果が高められるし、棟部が高くならないから台風等の風対策、施工、張り替え時の安全にもつなが。
【００１６】
【発明の実施の態様】
図１はこの発明に係るハウス用換気装置の断面図、図２は図１におけるＩＩ部拡大図、図３は図２における平面図、図４は図２におけるＩＶ−ＩＶ  線断面図、図５は図２におけるＶ  矢視図、図６は図１に相当する第二実施例の図、図７は図１に相当する第三実施例の図、図８は同第四実施例の略図、図９は同第五実施例の略図である。
【００１７】
【実施例】
図１において、Ｈ，Ｈは連設される野菜栽培用又は堆肥小屋としてのビニールハウス、１１，１２  はこのハウスＨの柱部材である。ここに、柱部材１１は連設されるビニールハウスＨの最端部に設置されるものであり、また、柱部材１２は隣り合うビニールハウスＨとの境に設置されるものである。なお、１３は柱部材１２の上端に設置された谷樋であり、雨水等を集めて流すためのものである。
【００１８】
次に、３１，３１  は屋根部材であり、互いに向き合った状態で前記柱部材１１又は１２の頂部に連設され、前記ハウスＨの屋根部をアーチ状に形成している。２０は梁部材であり、前記した屋根部材３１，３１  の略中間部に掛け渡され、それぞれ固定されている。２１，２１  はつか部材であり、前記梁部材２０の略中心部に所定間隔を介して略垂直状に立設され、その頂部には前記屋根部材３１，３１  の上端が固定されている。この一対のつか部材２１，２１  と前記梁部材２０によって、この発明の凹溝Ｃが構成される。なお、柱部材１１，１２  ，梁部材２０，つか部材２１，２１  および前記アーチ状屋根部材３１，３１  は、棟方向（図の垂直方向）に沿って適宜間隔で所要数並設されている。
【００１９】
また、前記屋根部材３１，３１  は直線状であってもよい。この場合、前記ハウスＨの屋根部はピラミッド状（二等辺三角形状）に構成される。
【００２０】
図２〜図５において、６０，６０  は上部棟部材であり、前記つか部材２１，２１  の上端に載置された状態で固定され棟方向に沿って延びている。また、６１，６１  は下部棟部材であり、前記つか部材２１，２１  の下端に位置した状態で前記梁部材２０の内側面に固着されている（図２及び図４を参照のこと）。この上部棟部材６０と下部棟部材６１とこれらの両端のつか部材２１（片方のみ図示）によって構成される窓状の「空間部分」がこの発明の「換気口Ａ」に相当する。
【００２１】
次に、７０，７０，…はもや部材であり、前記屋根骨部材３１，３２  または前記柱部材１１に固定され、棟方向に沿って延びている。
【００２２】
３２，３２  …はシート支持部材であり、上端部を前記棟部材６０に嵌着し（図２を参照のこと）、前記もや部材７０，７０，…に固定された状態で前記屋根骨部材３１および前記柱部材１１に略平行に設置されている。
【００２３】
３４，３４は断面Ｌ字状（Ｌチャンネル材からなる）のはふ部材であり、前記上部棟部材６０，６０  に載置された状態で固定されている。このはふ部材３４は前記上部棟部材６０に沿って延びている。
【００２４】
次に、８０は棟樋であり、前記両側（図２において）つか部材６１，６１  の間における前記梁部材２０、所謂、前記凹溝Ｃの底面に載置された状態で固定されている。この棟樋８０は透明プラスチック製であり、前記凹溝Ｃ内に侵入した雨水等を棟方向に流し、ハウスＨ内に侵入するのを防止している。８１，８１  はガイド片であり、前記棟樋８０の両端縁に一体成形されている。このガイド片８１，８１  は前記換気口Ａの下端縁に配置しているため、前記凹溝Ｃに侵入した雨水等を効率良く棟樋に誘導することができる。
【００２５】
また、図５において、６３，６３  …は腕木部材であり、前記上部棟部材６０と前記下部棟部材６１との間に掛け渡された状態で固定されている。この腕木部材６３は前記つか部材２１と略平行であり、垂直状態に配置されている。
【００２６】
次に、３３は前記上部アーチ部材３２に張設された無色透明な被覆シートであり、上端部は前記棟部材６０に固定具６９を介して固定されている。また、図１における左側下端部は前記柱部材１１に沿って地表面まで延び、ハウスＨの壁面を構成し、一方、右側下端部は隣り合うハウスＨまで延びている。
【００２７】
次に、９０，９０  は開閉シートであり、前記上部被覆シート３３，３３  の先端部が延設し、前記腕木部材６３，６３，…の外側に垂下した状態で、前記換気口Ａを覆っている。この開閉シート９０，９０  の先端部（下端部）には巻き挙げ部材９１，９１  が設置され、この巻き挙げ部材９１，９１  を駆動させて、開閉シート９０，９０  を巻き戻すことによって再び閉止することができる。
【００２８】
また、前記上部棟部材６０の固定具６１と前記棟樋８０との間に所要数のテープ部材を張って、この複数のテープ部材と前記腕木部材６３，６３，…とによって前記開閉シート９０の振れを防止することもできる。
【００２９】
このように、換気装置が構成されているため、図１および図２において、右側換気口Ａに向かって風が吹く場合には、風は、左側換気口ＡからハウスＨ内の空気を吸引しながら、右側換気口Ａを介してハウスＨ内に侵入し、被覆シート３３の裏面に沿って流れる。一方、左側換気口Ａに向かって風が吹く場合には、風は、右側換気口ＡからハウスＨ内の空気を吸引しながら、左側換気口Ａを介してハウスＨ内に侵入し、被覆シート３３の裏面に沿って流れる。このように、いずれの方向から風が吹いても、ハウスＨに対流は発生するものである。
【００３０】
次に、図５において、Ｅは換気扇装置であり、前記換気口Ａにおいて前記一対の腕木部材６３，６３  の間に嵌着固定されている。
この換気扇装置ＥはファンＦを駆動力によって回転させ、ハウスＨ内の空気を強制的に吸引排出し、向かい側の換気口Ａから侵入させることにより、凹溝Ｃを介してハウスＨ内外に空気の還流を発生させ（図１矢印方向を参照のこと）、ハウスＨ内の温度・湿度を一定に調節することができる。
【００３１】
なお、ファンＦを逆回転させて、ハウスＨ外の空気を吸入させても同じ効果を得ることができる。上記効果を奏するためには、この換気扇装置Ｅは前記凹溝Ｃの片側の換気口Ａのみに設けることが考えられるが、凹溝Ｃの両側壁部の換気口Ａ，Ａに、その設置位置が互いに対向しない状態に配置すれば前記効果を得ることができる。この場合、空気を逆方向に還流させることができるため、ハウスＨ内の空気の攪拌効率は一層向上する。
【００３２】
次に、図１〜図４において、７２は上部ネット体であり、両端縁が前記上部棟部材６０，６０  に固定具６３，６３  に固定されている。この上部ネット体７２は前記凹溝Ｃの上部開口を覆い、前記凹溝Ｃに虫が侵入するのを防止している。なお、前記固定具６３は前記被覆シート３３を共止めしている。
【００３３】
次に、７１は端部ネット体であり、前記上部ネット体７２における両端縁（棟方向の）に一体的に延設されたものである（片方のみ図示）。この端部ネット体７１は垂下して前記凹溝Ｃの端部開口（棟方向の）を覆った後、ハウスＨの外壁面（棟方向の）に固定具６６によって固定されている（図４を参照のこと）。この端部ネット体７１も前記凹溝Ｃに虫が侵入するのを防止している。７３，７３  は隙間であり、前記つか部材２１，２１  と前記端部ネット体７１との間に形成されている。この隙間７３，７３  から、前記巻き挙げ部材９１，９１  の先端部を突出させ、前記端部ネット体７１があるにもかかわらず、この巻き挙げ部材９１，９１  の操作を可能にしている。なお、９２は前記棟樋８０の端部に設置された排出管であり、前記端部ネット体７１を貫通してハウスＨ外に突出している。この排出管９２を介して前記棟樋８０雨水等はハウスＨ外に排出される。
【００３４】
図６は、第二実施例であり、前記ハウスＨの屋根部をトラス構造Ｔとしたものである。このように構成すると、間口を広くできるため、柱１１を長くしても（高くしても）棟部が高くならずに換気口Ａを増やすことができ、より換気効果が高められるし、棟部が高くならないから台風等の風対策、施工、張り替え時の安全にもつながる。この第二実施例は屋根の形状が斜面状になっている。また、図７は第三実施例であり、図６の第二実施例において、屋根の形状をアーチ状としたものである。
【００３５】
図８は第四実施例、図９は第五実施例に係るものであり、ハウスＨの柱部材と柱部材との間に複数の屋根部（この発明における）を形成し、それぞれの屋根部に凹溝Ｃを形成して本発明の効果を得るようにしたものである。なお、第四実施例は屋根の形状をアーチ状にしたもの、図９は第五実施例は屋根の形状を斜面状にしたものである。
【００３６】
なお、上記実施例では、述べなかったが、被覆シート３３の屋根部における下端部を従来のように開閉可能にしたり、柱部材１１の外側の被覆シートの下端部等を従来のように開閉可能にすることもできる。
【００３７】
【発明の効果】
この発明に係るハウス用換気装置においては、  ハウスの屋根部に棟に沿って凹溝を形成し、この凹溝の両側壁部に換気口を設け、この換気口を介して前記ハウスの内部と外気とを連通させたため、風が拭いたときに、換気口に侵入する風がある限り、何れの方向から風が吹いても、風下側の換気口を介して空気がハウス内に侵入するとともに風上側の換気口においては減圧作用によってハウス内の空気を排出させ、この結果、ハウス内の換気ができるものである。
【００３８】
よって、このハウス用換気装置を使用すれば、ビニールハウスにおける屋根裏の上部空間に熱気が滞留することはないため、ハウス内の温度調節がしやすいともに屋根裏に水滴が付着することはないため水滴による作物の害を防止することができる。
【００３９】
なお、前記凹溝の底部を棟樋にすれば、この凹溝に侵入した雨水等が換気口からハウス内へ侵入するのを防止することができる。
【００４０】
また、前記棟樋を透明体で形成すれば、ハウス内に日陰ができるのを防ぎ、作物等の成長を均一化させることができる。
【００４１】
また、前記換気口の下端縁にガイド片を立設し、このガイド片の下端縁を前記棟樋の両端縁に連設させれば、凹溝に侵入した雨水等を効率良く棟樋に誘導することができるため、雨水等が換気口からハウス内へ侵入するのを良り効率良く防止することができる。
【００４２】
また、前記換気口に開閉可能にすれば、この換気口から雨等が降り込むのを防止することができる。
【００４３】
また、前記換気口に換気扇装置を設置すれば、換気口からの空気の出入を増進させることができるとともにハウス内の空気の攪拌効率をより向上させることができる。
【００４４】
更に、前記換気扇装置を両側壁部の換気口に設け、且つ、その位置を互いに向き合わない状態に配置すれば、この換気扇装置を使用した空気の流れがぶつかることなく、一方向に流れるため、空気の換気効率およびハウス内の空気の攪拌効率がより向上する。
【００４５】
また、前記凹溝の上部開口端に上部ネット体を張設すれば、この凹溝の上部開口から虫が凹溝内、ひいては、換気口を介してハウス内へ侵入するのを防止できる。
【００４６】
なお、前記凹溝の端部開口端に端部ネット体を張設すれば、この凹溝の端部開口からの虫の侵入も防止できるため、ハウス内への虫の侵入をより一層確実に防止できる。
【００４７】
また、前記端部ネット体の両側に隙間を設け、この隙間を介して前記換気口を覆う被覆シートの巻き挙げ部材を突出させれば、前記換気口の開閉をハウス外部から従来の操作手段を使用して容易に操作することができる。
【００４８】
また、前記ハウスの屋根部をトラス構造とすれば、間口を広くできるため、柱１１を長くしても（高くしても）棟部が高くならずに換気口Ａを増やすことができ、より換気効果が高められるし、棟部が高くならないから台風等の風対策、施工、張り替え時の安全にもつながる。
【図面の簡単な説明】
【図１】図１はこの発明に係るハウス用換気装置の断面図である。
【図２】図２は図１におけるＩＩ部拡大図である。
【図３】図３は図２における平面図である。
【図４】図４は図２におけるＩＶ−ＩＶ  線断面図である。
【図５】図５は図２におけるＶ  矢視図である。
【図６】図６は図１に相当する第二実施例の図である。
【図７】図７は図１に相当する第三実施例の図である。
【図８】図８は同第四実施例の略図である。
【図９】図９は同第五実施例の略図である。
【符号の説明】
Ｈ  …  ハウス
Ｃ  …  凹溝
Ａ  …  換気口
８０  …  棟樋
８１  …  ガイド片
Ｅ  …  換気扇装置
７２  …  上部ネット体
７１  …  端部ネット体
７３  …  隙間
９１  …  巻き挙げ部材
Ｔ  …  トラス構造
【図１】
2004222510.tif 000003
【図２】
2004222510.tif 000004
【図３】
2004222510.tif 000005
【図４】
2004222510.tif 000006
【図５】
2004222510.tif 000007
【図６】
2004222510.tif 000008
【図７】
2004222510.tif 000009
【図８】
2004222510.tif 000010
【図９】
2004222510.tif 000011